(57)【特許請求の範囲】
【請求項１】
パルセータ（６００）を含み、前記パルセータ（６００）にパルセータ回転軸（４００）が接続され、パルセータ回転軸（４００）に自由回転可能なパルセータ回転ホイール（３００）が取り付けられ、前記パルセータ回転ホイール（３００）内部；ならびに／またはパルセータ回転ホイール（３００）とパルセータ（６００）との間；ならびに／またはパルセータ回転軸（４００）とパルセータ（６００）との間に収容空洞が設けられ、自由回転するパルセータが、パルセータカバー（２００）をさらに含み、パルセータカバー（２００）がパルセータ回転ホイール（３００）の外表面を覆い、前記パルセータ回転ホイール（３００）およびパルセータカバー（２００）の外表面に衣類をもみ洗うための一連の突起（３１０）と、噴水状の水流を生成する出水孔（３２０）とが対応して規則的に配列されることを特徴とする、収容空洞を備えた自由回転するパルセータ。
【請求項２】
前記パルセータ回転軸（４００）が台座（４１０）と、台座（４１０）に固定される主軸（４２０）とを含み、台座（４１０）がパルセータ（６００）に取り付けられ、主軸（４２０）がパルセータ回転ホイール（３００）に回転可能に接続され、前記収容空洞がパルセータ回転ホイール（３００）とパルセータ（６００）との間、ならびに／または台座（４１０）とパルセータ（６００）との間に設けられることを特徴とする、請求項１に記載の収容空洞を備えた自由回転するパルセータ。
【請求項３】
前記パルセータ（６００）の中心部分にくぼみ（６１０）が設けられ、前記パルセータ回転軸（４００）の台座（４１０）がくぼみ（６１０）内に取り付けられ、くぼみ（６１０）と、パルセータ回転ホイール（３００）および／または台座（４１０）との間の空洞が収容空洞を形成することを特徴とする、請求項２に記載の収容空洞を備えた自由回転するパルセータ。
【請求項４】
前記くぼみ（６１０）内部に凸台構造（６３０）が設けられ、前記パルセータ回転軸（４００）の台座（４１０）が凸台構造（６３０）に固定して取り付けられ、凸台構造（６３０）がくぼみ（６１０）を少なくとも１つの収容空洞に分け、前記収容空洞と対応する台座（４１０）に位置制限リブ（４３０）が設けられることを特徴とする、請求項３に記載の収容空洞を備えた自由回転するパルセータ。
【請求項５】
前記凸台構造（６３０）が「十」字形であり、凸台構造（６３０）がくぼみ（６１０）を対称な４つの収容空洞に分け、収容空洞底部に固定取付台が設けられることを特徴とする、請求項４に記載の収容空洞を備えた自由回転するパルセータ。
【請求項６】
前記パルセータ（６００）に水進入口（６２０）が設けられ、水進入口（６２０）がパルセータ回転ホイール（３００）の取付位置部分に設けられ、洗濯水が水進入口（６１０）からパルセータ回転ホイール（３００）の内部に進入することができることを特徴とする、請求項１に記載の収容空洞を備えた自由回転するパルセータ。
【請求項７】
前記収容空洞を備えた自由回転するパルセータが、パルセータ蓋（１００）をさらに含み、パルセータ蓋（１００）がパルセータ回転ホイール（３００）の上部開口に取外し可能に被せられることを特徴とする、請求項１〜６のいずれか１項に記載の収容空洞を備えた自由回転するパルセータ。
【請求項８】
前記パルセータカバー（２００）およびパルセータ蓋（１００）をいずれもステンレスで製造し、パルセータ回転ホイール（３００）をプラスチック材料で製造し、前記パルセータカバー（２００）およびパルセータ回転ホイール（３００）を一体成型により製造することを特徴とする、請求項７に記載の収容空洞を備えた自由回転するパルセータ。
【請求項９】
前記パルセータ回転ホイール（３００）の上部開口内に留め具（３３０）が設けられ、前記パルセータ蓋（１００）の内壁に係着溝が設けられ、前記留め具（３３０）が係着溝と組み合わさって接続されることを特徴とする、請求項７に記載の収容空洞を備えた自由回転するパルセータ。
【発明の詳細な説明】
【技術分野】
【０００１】
本発明は洗濯機分野に関し、具体的に、収容空洞を備えた自由回転するパルセータに関する。
【背景技術】
【０００２】
現在、洗濯機はすでに、人々の日常生活において不可欠な家電となっている。既存の洗濯機は、洗濯方式の違いに基づいて、パルセータ型洗濯機およびドラム型洗濯機の２種類に分けることができる。パルセータ型洗濯機は、その構造が比較的簡単であるため、メンテナンスが便利であり、洗浄率が高く、幅広く応用されている。しかし、既存のパルセータ型洗濯機のパルセータが生成する水流は、一般的に同一平面内で流動することしかできず、立体的な流動を実現するのは難しい。衣類を反転させて洗濯するのは難しく、さらには洗濯が不均一になる現象が出現する。他に、洗濯機は一定期間使用すると、どうしても洗濯機内部が汚染されて細菌が繁殖し、さらには衣類が二次汚染する。既存のパルセータ型洗濯機は抗菌消毒物質を投入する専用の装置（洗剤投入ケースに類似）を増設することにより、この問題を解決しているが、該方式は抗菌消毒物質を入れる位置が制限されるため、洗濯水と充分、均一に接触させることが難しく、そのため、効果が理想的でない。
【０００３】
中国実用新案特許出願番号第２０１３２０１２９６３６．７号は、噴水型ダブルパルセータおよびパルセータ型洗濯機を提供している。噴水型ダブルパルセータはメインパルセータを含み、サブパルセータをさらに含む。メインパルセータの下表面に複数の弧状の水タンクが設けられ、弧状の水タンクは仕切り板で閉じられ、弧状の水タンクおよび仕切り板によって弧状の水路が形成される。メインパルセータの上端部に出水口が設けられ、弧状の水路は出水口と通じる。サブパルセータはメインパルセータと同軸に設けられ、サブパルセータはメインパルセータの上表面にスライド接続される。メインパルセータにサブパルセータをスライド接続することにより、メインパルセータは水流によりサブパルセータを差動回転させることができる。さらにメインパルセータが反対方向に回転するとき、メインパルセータとサブパルセータの回転方向は異なり、衣類をもみ洗う力が産生され、洗濯物の洗浄比を高める。メインパルセータが弧状の水路の湾曲方向に沿って回転するとき、水が弧状の水路に進入し、さらに出水口から噴出して噴水型の水流が形成される。立体水流で洗い流すことを実現し、洗濯物の洗浄比を高めるのにより有利である。
【０００４】
上記特許は、パルセータ型洗濯機において、水流の立体流動の実現における困難を解決する技術案を明確に示し、立体水流により洗い流す技術的効果を実現している。しかし、上記特許は洗濯機のパルセータの下表面構造に対して新たな設置を行い、新しい水路を形成しており、構造は相対的に複雑である。さらに洗濯機の抗菌消毒に存在する技術的問題を解決していない。
【先行技術文献】
【特許文献】
【０００５】
【特許文献１】中国特許実用新案出願番号第２０１３２０１２９６３６．７号
【発明の概要】
【発明が解決しようとする課題】
【０００６】
本発明の目的は、洗浄効果を高め、水の清潔度を高め、満足のいく洗濯効果を達成し、同時に、より良好な洗濯効果を有することができる、自由回転するパルセータを提供することである。
【課題を解決するための手段】
【０００７】
上記目的を達成するため、本発明は以下の技術案を採用する。
収容空洞を備えた自由回転するパルセータはパルセータを含み、前記パルセータにパルセータ回転軸が接続され、パルセータ回転軸に自由回転可能なパルセータ回転ホイールが取り付けられる。前記パルセータ回転ホイールの内部；ならびに／またはパルセータ回転ホイールとパルセータとの間；ならびに／またはパルセータ回転軸とパルセータとの間に収容空洞が設けられる。
【０００８】
さらに、前記パルセータ回転軸は台座と、台座に固定される主軸とを含み、台座はパルセータに取り付けられ、主軸はパルセータ回転ホイールと回転可能に接続される。前記収容空洞はパルセータ回転ホイールとパルセータとの間、ならびに／または台座とパルセータとの間に設けられる。
【０００９】
さらに、前記パルセータの中心部分にくぼみが設けられ、前記パルセータ回転軸の台座はくぼみ内に取り付けられる。くぼみと、パルセータ回転ホイールおよび／または台座との間の空洞が収容空洞を形成する。
【００１０】
さらに、前記くぼみ内部に凸台構造が設けられ、前記パルセータ回転軸の台座は凸台構造に固定して取り付けられ、凸台構造はくぼみをいくつかの収容空洞に分ける。前記収容空洞と対応する台座に位置制限リブが設けられる。
【００１１】
さらに、凸台構造は「十」字状であり、凸台構造はくぼみを対称な４つの収容空洞に分け、収容空洞底部に固定取付台が設けられる。さらに、前記パルセータに水進入口が設けられ、水進入口はパルセータ回転ホイールの取付位置部分に設けられる。洗濯水は、水進入口からパルセータ回転ホイール内部に進入することができる。
【００１２】
さらに、前記収容空洞を備えた自由回転するパルセータは、パルセータカバーおよびパルセータ蓋をさらに含む。パルセータカバーはパルセータ回転ホイールの外表面を覆い、パルセータ蓋はパルセータ回転ホイールの上部開口に取外し可能に被せられる。
【００１３】
さらに、前記パルセータカバーおよびパルセータ蓋をいずれもステンレスで製造し、パルセータ回転ホイールをプラスチック材料で製造する。前記パルセータカバーおよびパルセータ回転ホイールを一体成型により製造する。
【００１４】
さらに、前記パルセータ回転ホイールおよびパルセータカバーの外表面に、衣類をもみ洗うための一連の突起と、噴水状の水流を生成する出水孔とが対応して規則的に配列する。
【００１５】
さらに、前記パルセータ回転ホイールの上部開口内に留め具が設けられ、前記パルセータ蓋の内壁に係着溝が設けられ、前記留め具は係着溝と組み合わさって接続される。
【００１６】
本発明は以前と異なる技術案を採用し、洗濯機のパルセータに自由回転可能なパルセータ回転ホイールを接続する。洗濯機で洗濯するとき、パルセータが回転して水流を正反回転させ、パルセータ回転ホイールは水流の作用で自由回転し、衣類のからみつきを減少させ、衣類を保護し、衣類の洗濯効果を高める。パルセータ回転ホイールの外表面に出水孔が設けられ、出水孔は噴水状の水流を生成することができ、水流を強め、液体洗剤を迅速に溶解し、衣類の洗濯効果をさらに高める。パルセータ回転ホイール内部、ならびに／またはパルセータ回転軸とパルセータとの間に、抗菌消毒物質を入れることができる収容空洞が設けられ、洗濯水中で抗菌消毒物質を充分に混合させることができ、抗菌消毒効果がより好ましい。
【発明の効果】
【００１７】
以上をまとめると、本発明は以下の利点を有する。
１、本発明のパルセータ回転ホイール内部、ならびに／またはパルセータ回転軸とパルセータとの間に収容空洞が設けられ、前記収容空洞内に抗菌消毒物質を備える。洗濯機が給水し、衣類の洗濯および衣服のすすぎを行うとき、抗菌消毒物質は消毒殺菌作用を効果的に発揮し、水質を浄化し、衣服を混ぜて洗うことによる交差感染を防止する。
【００１８】
２、本発明は、既存のパルセータに自由回転可能なパルセータ回転ホイールを取り付け、衣類のからみつきを減少させ、衣類を保護し、衣類の洗濯効果を高める。
【００１９】
３、本発明のパルセータ回転ホイールの外表面に配列する一連の突起は、衣類をもみ洗う効果を効果的に高めることができ、より良好な洗濯効果を有する。
【００２０】
４、本発明のパルセータ回転ホイールの外表面に、出水孔が設けられる。出水孔は噴水状の水流を生成することができ、水流を強め、液体洗剤を迅速に溶解し、衣類の洗濯効果をさらに高める。
【００２１】
５、本発明のパルセータ回転ホイールの外表面におけるパルセータカバーおよびパルセータ蓋に、ステンレス材料を採用しており、材料は滑らかで、摩耗に耐えることができ、衣類を摩耗させない。
【図面の簡単な説明】
【００２２】
【図１】図１は、本発明の分解図である。
【図２】図２は、本発明の立体構造の概要図である。
【図３】図３は、本発明の正面図である。
【図４】図４は、本発明の上面図である。
【図５】図５は、本発明の図４のＡ−Ａ面に沿った断面図である。
【図６】図６は、本発明のパルセータの構造概要図である。
【図７】図７は、本発明のパルセータ回転軸の構造概要図である。
【図８】図８は、本発明のパルセータ回転ホイールの構造概要図である。
【発明を実施するための形態】
【００２３】
以下に、図を組み合わせて、本発明の収容空洞を備えた自由回転するパルセータについて詳細に記載する。
図１〜５に示すように、収容空洞を備えた自由回転するパルセータはパルセータ６００を含み、前記パルセータ６００にパルセータ回転軸４００が接続され、パルセータ回転軸４００に自由回転可能なパルセータ回転ホイール３００が取り付けられる。前記パルセータ回転ホイール３００内部；ならびに／またはパルセータ回転ホイール３００とパルセータ６００との間；ならびに／またはパルセータ回転軸４００とパルセータ６００との間に収容空洞が設けられる。
【００２４】
本発明のパルセータ回転ホイール内部、ならびに／またはパルセータ回転軸とパルセータとの間に収容空洞が設けられ、前記収容空洞内に抗菌消毒物質を備えることができる。洗濯機が給水し、衣類の洗濯および衣服のすすぎを行うとき、抗菌消毒物質は消毒殺菌作用を効果的に発揮し、水質を浄化し、衣服を混ぜて洗うことによる交差感染を防止する。前記収容空洞内に衣類の洗濯効果に有利なその他の物質、例えば衣類の異臭を除去する物質、衣類の色落ちを防止する物質など、その他の関連物質をさらに備えることができる。これらの物質を備えることにより、衣類に対してより良好な洗濯効果を有することができ、ユーザはより良好なユーザエクスペリエンスが得られる。本発明は、抗菌消毒物質を備えることを例として具体的に説明を行う。
【００２５】
本発明のパルセータ回転軸４００、パルセータ６００について、どのような組立方式を採用しても、収容空洞はパルセータ回転ホイール３００内部に設けることができる。パルセータ回転軸４００、パルセータ６００を一体成型により製造するとき、収容空洞はパルセータ回転ホイール３００とパルセータ６００との間に設けることもでき；パルセータ回転軸４００、パルセータ６００を組み立てて取り付けるとき、収容空洞はパルセータ回転軸４００とパルセータ６００との間に設けることができる。上記に記載する収容空洞は好ましい設置方式であり、収容空洞の設置方式は上記３種の状況に制限されない。言い換えると、パルセータ回転軸４００、パルセータ６００を一体成型により製造するとき、収容空洞はパルセータ回転軸４００とパルセータ６００との間に設けることもでき；パルセータ回転軸４００、パルセータ６００を組み立てて取り付けるとき、収容空洞はパルセータ回転ホイール３００とパルセータ６００との間に設けることもできる。
【００２６】
本発明の進歩性は、収容空洞を洗濯機内槽の底部に設けることであり、水流の絶え間ない作用により、これを洗濯水中に充分に混合させ、より良好な抗菌消毒効果を得る。具体的に、本発明の収容空洞は、自由回転可能なパルセータ回転ホイール内部または洗濯機のパルセータに設けることができる。パルセータ回転ホイールの内部に設けるとき、収容空洞を大きくし過ぎないように注意する必要があり、パルセータ回転ホイールの体積が増大する、またはパルセータ回転ホイールの自由回転に影響を及ぼすのを防止する。さらに収容空洞はパルセータ回転ホイールの出水孔と通じなければならず、これにより収容空洞内に進入する水流は、抗菌消毒物質と接触してから排出され、抗菌消毒効果が発揮される。
【００２７】
本発明は、収容空洞を洗濯機のパルセータに設ける好ましい実施方式を同時に示している。具体的に、図７に示すように、本発明のパルセータ回転軸４００は台座４１０と、台座４１０に固定される主軸４２０とを含む。台座４１０はパルセータ６００に取り付けられ、主軸４２０は回転可能にパルセータ回転ホイール３００に接続される。前記収容空洞は、台座４１０とパルセータ６００との間に設けられる。
【００２８】
本発明のパルセータ回転軸４００に取り付けたパルセータ回転ホイール３００が自由回転可能であることを実現するため、パルセータ回転ホイール３００を主軸４２０に適合させる。パルセータ回転ホイール３００を主軸４２０に適合させた後、パルセータ回転ホイール３００が離脱するのを防止するため、主軸４２０の頂部に位置制限機構が設けられる。本発明の主軸４２０上部における軸端の直径は、下部のパルセータ回転ホイール３００と適合する軸部分の直径より大きく、対応して、パルセータ回転ホイール内部に大きさが異なる２つの取付孔が設けられる。上部取付孔の直径は下部取付孔より大きく、下部取付孔は主軸４２０に適合し、上部取付孔と下部取付孔との間の段は、主軸４２０頂部の位置制限軸端と係着される。同時に、パルセータ回転ホイール３００の取付を便利にするため、主軸４２０の上部軸端に２つの相対するノッチが設けられ、２つのノッチの間の幅は、パルセータ回転ホイールと適合する軸部分の直径と等しい。
【００２９】
図６に示すように、本発明のパルセータ回転軸４００を組み合わせるため、本発明の前記パルセータ６００の中心部分にくぼみ６１０が設けられる。具体的に、本発明のくぼみ６１０は円形に設けられる。前記パルセータ回転軸４００の台座４１０はくぼみ６１０内に取り付けられ、くぼみ６１０と台座４１０との間の空洞が収容空洞を形成する。
【００３０】
本発明は、パルセータ回転軸４００およびパルセータ６００の具体的な取付方式を示している。前記くぼみ６１０内部に凸台構造６３０が設けられ、前記パルセータ回転軸４００の台座４１０は、凸台構造６３０に固定して取り付けられる。凸台構造６３０はくぼみ６１０をいくつかの収容空洞に分ける。具体的に、本発明の凸台構造６３０は十字形を呈し、凸台構造６３０の中心に、パルセータ回転軸４００を取り付ける取付口６４０が設けられる。凸台構造６３０は、くぼみ６１０を４つの空間に分けて収容空洞を形成し、収容空洞底部に固定取付台が設けられる。前記固定取付台は弾性スペーサであり、収容空洞内に備える様々な物質に基づいて、相応する弾性調整を行うことができ、固定の安定性を確実に保証する。相応して、本発明のパルセータ回転軸４００の台座４１０も十字形を呈し、台座４１０の十字を凸台構造６３０の十字と適合させた後、ねじで固定接続する。収容空洞の閉鎖性のため、収容空洞と対応する台座４１０に位置制限リブ４３０が設けられる。すなわち、隣接する２つの十字の壁を接続して位置制限リブ４３０を形成する。
【００３１】
本発明の収容空洞内に抗菌消毒物質を備えることができ、抗菌消毒物質５００は一定の規則的な形状を有する固体状の殺菌物質であり、具体的には球形、楕円形、長方体などを備えることができる。前記固体状の殺菌物質の体積は、前記収容空洞の容積と適合する。すなわち、１つの収容空洞内に１つの抗菌消毒物質５００を備える。
【００３２】
好ましくは、本発明で採用する抗菌消毒物質５００は銀イオン抗菌ボールであり、銀イオンの抗菌作用のメカニズムは、１、細胞壁の合成を阻害する；２、細胞膜を破壊することができ、細胞膜は細菌細胞の生命活動に重要な構成要素である；３、タンパク質の合成を抑制する；４、核酸の合成を阻害する；である。銀は液体中の微生物に対して吸着作用を有するため、微生物が銀に吸着されると、呼吸作用を示す酵素が失活し、微生物は急速に死滅する。銀イオンの殺菌能力は特に強く、水１リットル当たり１億万分の２ミリグラムの銀イオンを含めば、水中の大部分の細菌を死滅させることができる。したがって、本発明の抗菌消毒物質５００は銀イオン抗菌ボールを使用しており、抗菌消毒の効果が良好であるだけでなく、ユーザに対しても安全で、使用周期が長いなどの利点がある。
【００３３】
銀イオン抗菌ボールを本発明の抗菌消毒物質５００として採用する。銀イオン抗菌ボールの収容空洞での安定性を保持するため、収容空洞の底部に、銀イオン抗菌ボールを入れるための十字状の台枠が設けられる。さらにパルセータ回転軸４００の台座４１０に設けられる位置制限リブ４３０は、上側に一定の弧度で湾曲し、ボール状の銀イオン抗菌ボールに適応する。さらに位置制限リブ４３０と台座４１０との間に出水口が設けられる。このような場合、水流は収容空洞に進入し、銀イオン抗菌ボールを洗い流すことができる。銀イオンは、水流が位置制限リブ４３０と台座４１０との間の出水口を経て収容空洞から流出するのに伴い、パルセータ回転ホイール３００の内部に到達する。その後、パルセータ回転ホイール３００に設けられる出水孔３２０により、噴水状の水流が形成され、洗濯機内槽に戻る。この過程は、洗濯機が洗濯する過程で絶えず繰り返され、これにより洗濯水中に充分な銀イオンが均等に含有され、抗菌消毒効果を実現する。本発明は、既存の抗菌消毒物質を内槽側壁に備える洗濯機と比較して、より均等、充分に洗濯水と混合させることができ、より良好な抗菌消毒効果を有する。
【００３４】
水流を収容空洞内部に進入させるため、本発明の前記パルセータ６００に水進入口６２０が設けられ、水進入口６２０はパルセータ回転ホイール３００の取付位置部分に設けられる。洗濯水は、水進入口６２０からパルセータ回転ホイール３００の内部に進入することができる。具体的に、図６に示すように、円形のくぼみ６１０の周囲に一連の水進入口６２０が均等に配置され、水進入口６２０はくぼみ６１０内部に通じる。洗濯水は水進入口６２０を通過して、くぼみ内のすべての収容空洞に充満することができる。
【００３５】
図１および図８に示すように、本発明の収容空洞を備えた自由回転するパルセータは、パルセータカバー２００およびパルセータ蓋１００をさらに含む。パルセータカバー２００はパルセータ回転ホイール３００の外表面を覆い、パルセータ蓋１００はパルセータ回転ホイール３００の上部開口に取外し可能に被せられる。
【００３６】
本発明のパルセータカバー２００およびパルセータ蓋１００はいずれもステンレスで製造し、具体的に、ＳＵＳ３０４  ＢＡ材料を採用することができる。ステンレス材料を採用することにより、パルセータ回転ホイール３００の外表面全体が滑らかで、摩耗に耐えることができ、衣類を摩耗しない。パルセータ回転ホイール３００はプラスチック材料で製造し、前記パルセータカバー２００およびパルセータ回転ホイール３００は一体成型により製造する。パルセータ回転ホイール３００をプラスチック材料で製造するのは、第一に、パルセータ回転ホイール３００の全体の質量を大幅に軽減し、慣性力を小さくし、自由回転により有利である。次に、プラスチック材料を採用するため、製造工程を大幅に簡略化することができる。最後に、取付、取外しが便利であり、コストが低下した。本発明のパルセータ回転ホイール３００およびパルセータカバー２００の外表面に、衣類をもみ洗うための一連の突起３１０と、噴水状の水流を生成する出水孔３２０とが対応して規則的に配列する。
【００３７】
本発明のパルセータ回転ホイール３００の上部開口内に留め具３３０が設けられ、前記パルセータ蓋１００の内壁に係着溝が設けられ、前記留め具３３０は係着溝と組み合わせて接続される。好ましくは、前記留め具３３０を３つ含み、パルセータ回転ホイール３００上部の開口内に均等に分布される。
【００３８】
以上の記載は本発明の好ましい実施例に過ぎず、本発明をどのような形式でも制限しない。本発明は好ましい実施例により、すでに上記のように開示したが、本発明を限定するものではない。当業者は、本発明の技術案を逸脱しない範囲内で、上記に示した技術的内容を利用して、等しく変化した同等の実施例に変更または修飾することができるが、いずれも本発明の技術案の内容を逸脱しない。本発明の技術的本質に基づいて、以上の実施例に対して行ういかなる簡単な修正、等しい変化および修飾も、本発明案の範囲内に属する。
【符号の説明】
【００３９】
１００  パルセータ蓋
２００  パルセータカバー
３００  パルセータ回転ホイール
３１０  突起
３２０  出水孔
４００  パルセータ回転軸
４１０  台座
４２０  主軸
４３０  位置制限リブ
５００  抗菌消毒物質
６００  パルセータ
６１０  くぼみ
６２０  水進入口
６３０  凸台構造
６４０  取付口
７００  パルセータライニング
【図１】
0006418534.tif 000002
【図２】
0006418534.tif 000003
【図３】
0006418534.tif 000004
【図４】
0006418534.tif 000005
【図５】
0006418534.tif 000006
【図６】
0006418534.tif 000007
【図７】
0006418534.tif 000008
【図８】
0006418534.tif 000009